(57)【要約】【課題】  容易にデジタル写真データにセキュリティ性を持たせることを可能であり、被写体の個人情報漏えい及びプライバシー保護が可能とする。【解決手段】  撮像装置と、ID読取装置を有する撮影画像データ記録装置における撮影画像データ記録方法であって、前記撮像装置により被写体を撮影する際に、前記ID読取装置は、前記被写体が所持する識別コード発生手段から送られる識別コードを受信し、前記撮像装置に送り、前記撮像装置は、前記被写体を撮影した画像データのメタデータに前記識別コードを付加する。また、前記ID読取装置は、前記識別コードと前記被写体との対応関係を記憶し、前記対応関係に基づき、前記被写体の撮影画像データをデータ配信装置に配信させる。【選択図】図３
2011003987.tif 000002
【特許請求の範囲】
【請求項１】
撮像装置と、ID読取装置を有する撮影画像データ記録装置における撮影画像データ記録方法であって、
前記撮像装置により被写体を撮影する際に、
前記ID読取装置は、前記被写体が所持する識別コード発生手段から送られる識別コードを受信し、前記撮像装置に送り、
前記撮像装置は、前記被写体を撮影した画像データのメタデータに前記識別コードを付加する、
ことを特徴とする撮影画像データ記録方法。 
【請求項２】
請求項1において、
前記ID読取装置は、前記識別コードと前記被写体との対応関係を記憶し、
前記対応関係に基づき、前記被写体の撮影画像データを、データ配信装置に配信させる、
ことを特徴とする撮影画像データ記録方法。
【請求項３】
請求項１において、
前記ID読取装置は、RFID送受信手段を有し、
前記識別コード発生手段は、RFID送受信手段からの信号に応答するRFID タグである、
ことを特徴とする撮影画像データ記録方法。
【請求項４】
請求項１において、
前記ID読取装置は、Bluetooth 送受信機ユニットであり、前記識別コード発生手段は、前記ID読取装置のBluetooth 送受信機ユニットとペアリングされるBluetooth 送受信機ユニットである、
ことを特徴とする撮影画像データ記録方法。
【請求項５】
撮像装置と、ID読取装置を有し、
前記撮像装置により被写体を撮影する際に、
前記ID読取装置は、前記被写体が所持する識別コード発生手段から送られる識別コードを受信し、前記撮像装置に送り、
前記撮像装置は、前記被写体を撮影した画像データのメタデータに前記識別コードを付加する、
ことを特徴とする撮影画像データ記録装置。
【請求項６】
請求項５において、
前記ID読取装置は、前記識別コードと前記被写体との対応関係を記憶する記憶手段を有し、
さらに、データ配信装置を有し、
前記ID読取装置は、前記対応関係に基づき、前記被写体の撮影画像データを、データ配信装置に配信させる、
ことを特徴とする撮影画像データ記録装置。
【発明の詳細な説明】
【技術分野】
【０００１】
本発明は、撮影画像データ記録方法及びこれを用いる撮影画像データ記録装置に関する。
【背景技術】
【０００２】
近年、銀塩フィルムを用いて被写体像を撮像記録する写真に代わって、ＣＣＤあるいはＣＭＯＳ等の撮像素子により被写体像をデジタルデータとして取得し、記録媒体に保存するデジタル写真が普及し、種々の形態で利用が拡がっている。
【０００３】
かかるデジタル写真は、容易に加工、編集更に種々の通信形態でデータ配布が可能である。特に、撮影被写体が、人物である場合は、意図しない利用、配布が行われる可能性が高い。そして、かかる場合は、被写体となった人物のプライバシー侵害，個人情報の漏えいの可能性が有り、又、容易に犯罪に利用されるという危惧も生じる。
【０００４】
また、デジタル写真は、撮影データをインターネットで印刷プリント出力サービス店舗に送り、そこで写真用紙にプリントして、依頼顧客に送付されるというサービスも普及している。かかる場合、店舗での写真プリントの依頼顧客による確認が行われることが無いので、写真プリントを誤って依頼顧客と関係しない人に送られてしまうというような、顧客の信頼を損ねる事故も想定される。
【０００５】
したがって、上記のような、個人のプライバシー侵害、個人情報の漏えい,或いは顧客の信頼を損ねるという状態は社会的な不安からデジタル写真に対する更なる普及を阻害する要因ともなりかねない。
【０００６】
従来技術として、特許文献１に記載の発明は、コンビニ等の販売店でデジタルカメラを購入し、撮影後販売店に戻し、撮影済みデジタルカメラを画像ステーションで現像処理しハードディスクに保存する。そして、ユーザは、インターネットを通して、画像ステーションにアクセスして、撮影した画像を閲覧またはダウンロードするシステムを開示している。  
【０００７】
特許文献２に記載の発明は、ネットワークに接続された任意装置に対して、顔写真付きの履歴書等の書類を送信するシステムであり、任意装置からフォームをダウンロードし、これに所定事項を記録し、返送する。一方、他の装置に対して前記任意装置に顔写真の送信を依頼する。前記任意装置は、従って、先に送られたフォームに、前記送信される顔写真を添付した書類を作成するという発明である。
【０００８】
特許文献３に記載の発明は、デジタル画像データに所定の識別コードを対応させて画像メモリに記憶する。そして、伝送路を介して、撮影者より識別コードを受け取ったら、上記メモリに記憶された、対応するデジタル画像データを伝送路を介して、前記撮影者に送信する写真処理サービスシステムである.
【先行技術文献】
【特許文献】
【０００９】
【特許文献１】特開２００１-２２０４６号公報
【特許文献２】特開２００３-１４３３６３号公報
【特許文献３】特開２００１-３３８９２号公報
【発明の概要】
【発明が解決しようとする課題】
【００１０】
したがって、上記に鑑みて、本発明の目的はデジタル写真にセキュリティ性を持たせることを可能とする撮影画像データ記録方法及びこれを用いる撮影画像データ記録装置を提供することにある。
【課題を解決するための手段】
【００１１】
上記目的に対応する本発明に従う画像データ記録方法は、撮像装置と、ID読取装置を有する撮影画像データ記録装置における撮影画像データ記録方法であって、前記撮像装置により被写体を撮影する際に、
前記ID読取装置は、前記被写体が所持する識別コード発生手段から送られる識別コードを受信し、前記撮像装置に送り、
前記撮像装置は、前記被写体を撮影した画像データのメタデータに前記識別コードを付加することを特徴とする。
【００１２】
上記目的に対応する本発明に従う画像データ記録方法は、前記方法において、
前記ID読取装置は、前記識別コードと前記被写体との対応関係を記憶し、
前記対応関係に基づき、前記被写体の撮影画像データを、データ配信装置に配信させることを特徴とする。
【発明の効果】
【００１３】
上記構成により、本発明により容易にデジタル写真データにセキュリティ性を持たせることを可能であり、被写体の個人情報漏えい及びプライバシー保護が可能である。
【図面の簡単な説明】
【００１４】
【図１】実施例の使用形態を示す図である。
【図２】撮像装置とID読取装置の構成例ブロック図を示す図である。
【図３】図２の実施例に対応する動作フローである。
【図４】図２の実施例に対応する動作タイムチャートである。
【図５】第２の実施例の撮像装置とID読取装置の構成例ブロック図を示す図である。
【図６】図５の実施例に対応する動作フローである。
【発明を実施するための形態】
【００１５】
以下に、図面に従い実施例を説明する。なお、実施例の提示は、発明の理解を助けるためのものであり、発明の適用、保護の範囲がかかる実施例に限定されるものではない。
【００１６】
図１は、実施例の使用形態を示す図である。被写体1として例えば３名の人物がいる。この３名の人物を被写体1としてカメラ即ち、撮像装置２により撮影が行われる。ここでは、撮像装置２は、デジタルカメラが使用される。
【００１７】
実施例の特徴として、有線又は無線のリンク５によりID読取装置３が撮像装置２に接続されている。
【００１８】
３名の人物は、それぞれを識別するIDコード（ID1,ID2,ID3）をID読取装置３に送信するIDコード発生手段４ａ,４ｂ,４ｃを保持している。
【００１９】
図１において、ID読取装置３が撮像装置２とは独立し、それらは有線もしくは無線によるリンク（信号ケーブル）５で接続されているが、ID読取装置３の機能を撮像装置２内に一体に組み込むように構成してもよい。
【００２０】
図２は、撮像装置２とID読取装置３の構成例ブロック図を示している。図３は、図２の実施例に対応する動作フローである。さらに、図４は、図２の実施例に対応する動作タイムチャートである。
【００２１】
特に、図２に示す実施例は、RFIDを利用する構成例である。図２において、被写体1のそれぞれは、異なるIDコードID1,ID2,ID3を応答信号として送信する、IDコード発生手段としてのRFIDタグ４ａ，４ｂ，４ｃを撮影者から貸与されて保持している。
【００２２】
この際、撮影者は、被写体１に貸与するRFIDタグ４ａ，４ｂ，４ｃと、被写体１の撮影データの送信先アドレス例えば、メールアドレスの対応関係のデータを作成し、保持しておく。
【００２３】
撮影を開始すると、撮影者は、まず撮像装置２のカメラシャッターボタン２０を半押しする（ステップＳ1：図４ Ia）。これにより、制御部２１は、被写体１に焦点が合うようにレンズ２２を駆動制御する。
【００２４】
さらに、シャッター２０を全押し（ステップＳ２：図４ Ib）すると、制御部２１は、図示しない測光素子で測光される光量に対応して絞り値及びシャッター速度を計算し、計算された絞り値及びシャッター速度に対応して、絞り機構２３及びシャッター機構２４を制御する。
【００２５】
これにより被写体１の像が適正露光で撮影される（ステップＳ３：図４ II）。すなわち、撮像素子２５により、絞り値及びシャッター速度に対応する光量で、撮像素子２５に被写体像を受光する。
【００２６】
制御部２１は、撮像素子２５により受光された被写体像に基づき、撮影データを生成する（ステップＳ４）。さらに、制御部２１における図示しないバッファ素子に生成した撮影データを一時格納する（ステップＳ５）。
【００２７】
シャッター半押し（ステップＳ１）に戻り説明すると、撮像装置２の制御部２０は、同時にＩＤ読取装置３の制御部３０にトリガ信号を送る（ステップＳ６：図４ III）。
【００２８】
制御部３０は、トリガ信号を受けると、ＲＦＩＤ送受信器３１を駆動して、IDコード発生手段であるRFIDタグ４ａ，４ｂ，４ｃに向けて、順次それぞれ対応する周波数の連続するキャリア信号（読取信号：図４ IV）を送出させる（ステップＳ７）。
【００２９】
ここで、ＲＦＩＤ送受信器３１は、複数の、例えば３個のそれぞれ異なる周波数のキャリア信号を生成する個別のＲＦＩＤ送信器３１１，３１２，３１３を有するように構成される。
【００３０】
あるいは、別個のＲＦＩD送信器３１１，３１２，３１３に代え、一個のＲＦＩＤ送信器で、周波数を順次に切り替えて、複数のキャリア信号を生成し、順次に送出するような構成(図４ IV 破線)とすることも可能である。
【００３１】
一方、複数のそれぞれのＲＦＩＤタグ４ａ，４ｂ，４ｃは、RFID送受信器３１からの対応する周波数のキャリア信号（読取信号）を受信すると、受信したキャリア信号をエネルギーとして内蔵ＩＣの変調機能により、自身の識別ＩＤで、受信したキャリア信号を変調し、RFID送受信器３１に返送する。ＩＤ読取装置３は、それぞれのRFIDタグ４ａ，４ｂ，４ｃからそれぞれ対応する識別IDで変調されている異なるキャリア周波数の信号を応答信号として受信する（ステップＳ８：図４ V）。
【００３２】
制御部３０は、受信したキャリア周波数の信号を順次復調して、それぞれのRFIDタグ４ａ，４ｂ，４ｃに対応する識別ＩＤを取得する（ステップＳ９）。制御部３０は、撮像装置２の制御部２１に、取得した識別ＩＤを通知する（ステップＳ１０）。
【００３３】
次いで、撮像装置２の制御部２１は、先に撮像した被写体１の画像データのメタデータに、ＩＤ読取装置３の制御部３０から送られた識別ＩＤを追加する（ステップＳ１１：図４ VI）。
【００３４】
そして、かかる識別ＩＤが追加されたメタデータを有する撮像した被写体１の撮影画像データを記録媒体２６に記録する（ステップＳ１２）。
【００３５】
ここで、ＩＤ読取装置３が撮像装置２で撮影された被写体１の撮像データを配信する機能を備える場合は、撮像装置２の制御部２１から、撮影データと識別ＩＤが追加されたメタデータを、リンク５を通してＩＤ読取装置３の制御部３０に送る（ステップＳ１３）。
【００３６】
制御部３０は、先に説明したように、予め被写体１のそれぞれにRFIDタグ４ａ，４ｂ，４ｃを支給する際に、それぞれのRFID タグ対応に、配信先アドレス、例えば、それぞれの被写体１のメールアドレスを対応して識別テーブルに登録しておく。
【００３７】
したがって、ＩＤ読取装置３は、識別テーブルを参照して、撮像装置２から送られた画像データのメタデータをチェックし（ステップＳ１４）、データ配信装置６に対して、撮影データと配信先アドレスを通知する（ステップＳ１５）。
【００３８】
これにより、配信装置６は、撮影データを正しく配信すべき送信先に送信することができる。
【００３９】
上記により、本実施例により被写体１の撮影データが、不特定の相手に配布されることを防ぐことが可能である。
【００４０】
図５は、第２の実施例の撮像装置２とID読取装置３の構成例ブロック図を示している。図６は、図５の実施例に対応する動作フローである。
【００４１】
第１の実施例と撮像装置２の構成は基本的に同様の構成である。
【００４２】
一方、第２の実施例においては、ＩＤ読取装置３は、Bluetooth送受信機ユニット３２を有している。そして、被写体１には、それぞれ撮影者から貸与される、IDコード発生手段としてのBluetooth送受信機ユニット40a,40b,40cを所持して撮像装置２のレンズに向かう。
【００４３】
前提として、先にＩＤ読取装置３のBluetooth送受信機ユニット３２と、被写体１のそれぞれにより所持されるBluetooth送受信機ユニット40a,40b,40cとが対応するパスキー[ID(001)，ID(002)，ID(003)]によりペアリングが設定されている（ステップＳ２０）。
【００４４】
ここで、Bluetooth送受信機ユニット３２及び40a,40b,40cのプロファイルは、実施例の目的に対応するように、少なくとも基本的な機器接続のためのプロファイルＧＡＰ(Generic Access Profile)及びＳＤＡＰ(Service Discovery Application Profile)の他に、データ転送のためのプロファイルであるＦＴＰ（File Transfer Profile）を有していればよい。
【００４５】
ついで、撮影者が撮像装置２のカメラシャッターボタン２０を半押しする（ステップＳ２１）。これにより、制御部２１は、被写体１に焦点が合うようにレンズ２２を駆動制御する。
【００４６】
さらに、シャッター２０を全押し（ステップＳ２２）すると、制御部２１は、図示しない測光素子で測光される光量に対応して絞り値及びシャッター速度を計算し、計算された絞り値及びシャッター速度に対応して、絞り機構２３及びシャッター機構２４を制御する。
【００４７】
これにより被写体１の像が撮影される（ステップＳ２３）。すなわち、撮像素子２５により、絞り値及びシャッター速度に対応する光量で、撮像素子２５に被写体光像を受光する。
【００４８】
制御部２１は、撮像素子２５により受光された被写体像に基づき、撮影データを生成する（ステップＳ２４）。さらに、制御部２１における図示しないバッファ素子に撮影データを一時格納する（ステップＳ５）。
【００４９】
シャッター半押し（ステップＳ２１）に戻り説明すると、撮像装置２の制御部２０は、同時にＩＤ読取装置３の制御部３０にトリガ信号を送る（ステップＳ２６）。
【００５０】
制御部３０は、トリガ信号を受けると、Bluetooth送受信機ユニット３２を駆動して、それぞれペアリング相手のIDコード発生手段としてのBluetooth送受信機ユニット４０ａ，４０ｂ，４０ｃに向けて、ＩＤ送信要求信号（読取信号）を送出させる（ステップＳ２７）。
【００５１】
複数のそれぞれのBluetooth送受信機ユニット４０ａ，４０ｂ，４０ｃは、Bluetooth送受信機ユニット３２からのＩＤ送信要求信号受信し、それぞれの識別ＩＤをBluetooth送受信機ユニット３２に送信する。Bluetooth送受信機ユニット３２は、Bluetooth送受信機ユニット４０ａ，４０ｂ，４０ｃのそれぞれからの識別ＩＤを応答信号として受信する（ステップＳ２８）。
【００５２】
制御部３０は、Bluetooth送受信機ユニット４０ａ，４０ｂ，４０ｃから受信したそれぞれの識別ＩＤを取得し、撮像装置２の制御部２１に取得した識別ＩＤを通知する（ステップＳ２９）。
【００５３】
次いで、撮像装置２の制御部２１は、先に撮像した被写体１の画像データのメタデータに、ＩＤ読取装置３の制御部３０から送られた識別ＩＤを追加する（ステップＳ３０）。
【００５４】
そして、かる識別ＩＤが追加されたメタデータを有する撮像した被写体１の画像データを記録媒体２６に記録する（ステップＳ３１）。
【００５５】
ここで、ＩＤ読取装置３が撮像装置２で撮影された被写体１の撮像データを配信する機能を備える場合は、撮像装置２の制御部２１から、撮影データと識別ＩＤが追加されたメタデータを、リンク５を通してＩＤ読取装置３の制御部３０に送る（ステップＳ３２）。
【００５６】
制御部３０は、先に説明したように、予め被写体１のそれぞれにBluetooth送受信機ユニット４０ａ，４０ｂ，４０ｃを支給する際に、それぞれのBluetooth送受信機ユニット対応に、配信先アドレス、例えば、それぞれの被写体１のメールアドレスを対応して識別テーブルに登録しておく。
【００５７】
したがって、ＩＤ読取装置３は、識別テーブルを参照して、撮像装置２から送られた画像データのメタデータをチェックし（ステップＳ３３）、データ配信装置６に対して、撮影データと配信先アドレスを通知する（ステップＳ３４）。
【００５８】
これにより、配信装置６は、撮影データを正しく通知すべき送信先に送信することができる。
【００５９】
ここで、上記実施例説明において、被写体として複数の人物を撮像する例を示したが、パスポート等の証明書に添付される写真画像撮像に本願発明を利用する場合は、被写体は一人であってもよいことは当然である。
【００６０】
そして、撮像された画像をプリントして、パスポート等に張り付けるとともに、本人認証IDを含むメタデータを機械的に読み取り可能に前記画像プリントの裏面に記録することにより、税関等における本人認証作業を容易化するシステムを実現することも可能である。
【符号の説明】
【００６１】
１  被写体
２  撮像装置
３  ＩＤ読み取り装置
４ａ，４ｂ，４ｃ, ４０a，４０b、４０c  IDコード発生手段
５  リンク
６  データ配信装置
【図１】
2011003987.tif 000003
【図２】
2011003987.tif 000004
【図３】
2011003987.tif 000005
【図４】
2011003987.tif 000006
【図５】
2011003987.tif 000007
【図６】
2011003987.tif 000008